(57)【特許請求の範囲】
【請求項１】
両支柱間に踏桟を複数段に横架し、各支柱の下端部に伸縮脚を摺動自在に嵌挿してなる梯子状脚体の前記伸縮脚を所定脚長で固定する伸縮脚ロック装置であって、
伸縮脚に設けられたラックと、下段側踏桟の端部に軸着され、ラックに噛合する歯を有し、歯の背部側にポケット部を有するロック部材と、前記踏桟側で踏桟長さ方向に進退移動可能に支持され、前進位置で持ち上がり可能で、前記ポケット部に下方より突入する高突状片及びこれより低位置にある低突状片からなる突状体を前端部に有する操作部材と、ロック部材がロック位置を維持するように操作部材を前進方向に付勢するバネと、前部側が持ち上がった操作部材の突状体の低突状片が係止するように前記踏桟側に設けられた係止段部とからなり、操作部材を後退させることにより、高突状片を介してロック部材を回動させてロック解除し、ロック部材がロック位置にある時に操作部材の前部側を押し上げることにより、突状体の低突状片を前記係止段部に係止させて、該低突状片が、ポケット部の前部内壁面と係止段部とにより挟まれた状態となって、ロック部材の回転が阻止され、これによってロック部材を二重ロックするようにした梯子状脚体の伸縮脚ロック装置。
【請求項２】
前記ロック部材のポケット部は、歯に近い側の前部内壁面とこれに対向する後部内壁面とを有し、前後両内壁面は歯に近づく方向に上り傾斜状に形成されており、前部内壁面の下端部は、ポケット部の入口付近に形成された、歯に近づく方向に下り傾斜状のガイド斜面部と隣接し、操作部材が水平姿勢にある時、突状体の高突状片の前面側下端部に突設されたガイド突条部が前記下り傾斜状ガイド斜面部に弾接した状態にあって、操作部材の前部側を押し上げることにより、ガイド突条部が下り傾斜状ガイド斜面部からポケット部内の上り傾斜状前部内壁面との境界部を越えてその前部内壁面に移行するようになっている請求項１に記載の梯子状脚体の伸縮脚ロック装置。
【請求項３】
前記ロック部材、操作部材及びバネは、前記踏桟の端部内に取り付け固定されるロックボックス内に組み込まれ、前記係止段部は、このロックボックスの下端部に設けられることを特徴とする請求項１又は２に記載の梯子状脚体の伸縮脚ロック装置。
【請求項４】
前記ロックボックスの下端部に設けられる係止段部は、前記ラックから水平方向へ所定長さのところに形成される第１係止段部と、第１係止段部の下位側で、前記ラックから遠ざかる方向へ階段状に形成される第２係止段部との少なくとも２つの係止段部からなり、支柱の内側面と踏桟の上側面との対向角度が異なる少なくとも２種類の梯子状脚体において、その角度が小さいものに第１係止段部を使用し、その角度が大きいものに第２係止段部を使用するようになっている請求項３に記載の梯子状脚体の伸縮脚ロック装置。
【発明の詳細な説明】
【技術分野】
【０００１】
本発明は、脚立、梯子、作業台等の脚体（以下、梯子状脚体と称する）を伸縮させて所定の脚長で固定する梯子状脚体の伸縮脚ロック装置に関する。
【背景技術】
【０００２】
従来における梯子状脚体の伸縮脚ロック装置として、例えば下記特許文献１に記載されたものがある。この特許文献１に記載の伸縮脚ロック装置は、図１１に概略示すように、左右一対の支柱２，２間に踏桟３を上下複数段に横架し、各支柱２の下端部に伸縮脚４をスライド可能に嵌挿することにより形成される梯子状脚体の前記伸縮脚４を所定の脚長で固定するようにしたもので、伸縮脚４に設けられたラック８と、下段側踏桟３の端部内に軸着されていて、ラック８に噛合する歯９を有し、この歯９の背部に下向きに開口したポケット部１０を有するロック部材１１と、前記踏桟３の端部において踏桟長さ方向に沿った水平姿勢でのみ一定ストローク進退移動可能に支持され、ロック部材１１のポケット部１０に下方より突入する突状片２９を前端部に有する操作部材２１と、この操作部材２１と前記踏桟３の端部との間に介装されていて、ロック部材１１の歯９がラック８に係合するように操作部材２１を前進方向に付勢するコイルバネ２２とからなる。
【０００３】
図１１の(a) は、操作部材２１がコイルバネ２２により前進方向に付勢されて、ロック部材１１の歯９がラック８に係合したロック状態を示す。このロック状態から、(b) に示すように操作部材２１をコイルバネ２２の付勢力に抗して後退方向に引くと、突状片２９を介してロック部材１１が同図に関し反時計回りに回動して歯９がラック８から離脱し、ロック解除状態となり、このロック解除状態で伸縮脚４は支柱本体２に対しスライド可能となる。この(b) に示すようなロック解除状態で操作部材２１を元に戻せば、(a) に示すようなロック状態となり、伸縮脚４は支柱本体２に対し固定される。
【特許文献１】特開２００９−１２１１３０号公報
【発明の開示】
【発明が解決しようとする課題】
【０００４】
上記のような伸縮脚ロック装置にあっては、伸縮脚４が伸び方向で自由となる、所謂単ロック構造であるため、移動時に脚立等を激しく上下するような操作や衝撃が加えられると、伸縮脚４が自重により伸張してしまう可能性があり、また脚立等の運搬時に伸縮脚４の端具部分等が他品に接触した際などに伸縮脚４が伸張してしまう可能性があった。図１１の(c) は、そのような伸縮脚４の伸張により、ロック部材１１がロック解除方向に回動してロック解除する状態を示す。
【０００５】
本発明は、上記の課題に鑑み、脚立等の移動時に脚立等が激しく上下するような操作や衝撃が加えられたり、脚立等を車等に多段状に積載した状態から伸縮脚を引きずり出すような動作が生じても、伸縮脚が伸張してしまうことがなく、伸縮脚を支柱本体に対し確実に固定できる梯子状脚体の伸縮脚ロック装置を提供することを目的とする。
【課題を解決するための手段】
【０００６】
上記課題を解決するための手段を、後述する実施形態の参照符号を付して説明すると、  請求項１は、両支柱２，２間に踏桟３を複数段に横架し、各支柱２の下端部に伸縮脚４を摺動自在に嵌挿してなる梯子状脚体２の前記伸縮脚４を所定脚長で固定する伸縮脚ロック装置であって、
伸縮脚４に設けられたラック８と、下段側踏桟３の端部内に軸着され、ラック８に噛合する歯９を有し、歯９の背部側にポケット部１０を有するロック部材１１と、前記踏桟３側で踏桟３長さ方向に進退移動可能に支持され、前進位置で持ち上がり可能で、前記ポケット部１０に下方より突入する高突状片１２及びこれより低位置にある低突状片１３からなる突状体１４を前端部に有する操作部材１５と、ロック部材１１がロック位置を維持するように操作部材１５を前進方向に付勢するバネ１６と、前部側が持ち上がった操作部材１５の突状体１４の低突状片１３が係止するように前記踏桟３側に設けられた係止段部１８とからなり、操作部材１５を後退させることにより、高突状片１２を介してロック部材１１を回動させてロック解除し、ロック部材１１がロック位置にある時に操作部材１５の前部側を押し上げることにより、該低突状片１３を前記係止段部１８に係止させて、該低突状片１３が、ポケット部１０の前部内壁面１０ａと係止段部１８とにより挟まれた状態となって、ロック部材１１の回転が阻止され、これによってロック部材１１を二重ロックするようにしたことを特徴としている。
【０００７】
請求項２は、請求項１に記載の梯子状脚体の伸縮脚ロック装置において、前記ロック部材１１のポケット部１０は、歯９に近い側の前部内壁面１０ａとこれに対向する後部内壁面１０ｂとを有し、前後両内壁面１０ａ，１０ｂは歯９に近づく方向に上り傾斜状に形成されており、前部内壁面１０ａの下端部は、ポケット部１０の入口付近に形成された、歯９に近づく方向に下り傾斜状のガイド斜面部１１ａと隣接し、操作部材１５が水平姿勢にある時、突状体１４の高突状部１２の前面側下端部に突設されたガイド突条部ｐが前記下り傾斜状ガイド斜面部１１ａに弾接した状態にあって、操作部材１５の前部側を押し上げることにより、ガイド突条部ｐが下り傾斜状ガイド斜面部１１ａからポケット部１０内の上り傾斜状前部内壁面１０ａとの境界部１０ｏを越えてその前部内壁面１０ａに移行するようになっていることを特徴とする。
【０００８】
請求項３は、請求項１又は２に記載の梯子状脚体の伸縮脚ロック装置において、前記ロック部材１１、操作部材１５及びバネ１６は、前記踏桟３の端部内に取り付け固定されるロックボックス１９内に組み込まれ、前記係止段部１８は、このロックボックス１９の下端部に設けられることを特徴とする。
【０００９】
請求項４は、請求項３に記載の梯子状脚体の伸縮脚ロック装置において、前記ロックボックス１９の下端部に設けられる係止段部１８は、前記ラック８から水平方向へ所定長さのところに形成される第１係止段部１８ａと、第１係止段部１８ａの下位側で、前記ラック８から遠ざかる方向へ階段状に形成される第２係止段部１８ｂの少なくとも２つの係止段部１８ａ，１８ｂからなり、支柱２の内側面と踏桟３の上側面との対向角度が異なる少なくとも２種類の梯子状脚体において、その角度の小さいものに第１係止段部１８ａを使用し、その角度の大きいものに第２係止段部１８ｂを使用するようになっていることを特徴とする。
【発明の効果】
【００１０】
上記解決手段による発明の効果を、後述する実施形態の参照符号を付して説明すると、請求項１に係る発明によれば、ロック部材１１がロック位置にある時に、操作部材１５の前部側を押し上げることにより、突状体１４の低突状片１３を前記踏桟３側の係止段部１８に係止させて、該低突状片１３が、ポケット部１０の前部内壁面１０ａと係止段部１８とにより挟まれた状態となって、ロック部材１１の回転が阻止され、これによってロック部材１１の回転を阻止し、ロック部材１１をロック位置に二重ロックするように構成したから、移動時に脚立等が激しく上下するような操作や衝撃が加えられたり、脚立等を車等に多段状に積載した状態から伸縮脚４を引きずり出すような動作が生じても、伸縮脚４が不測に伸張するようなことがなく、伸縮脚を支柱２に対し確実に固定させることができる。
【００１１】
また、ロック部材１１を二重ロックした状態から、操作部材１５を、バネ１６の付勢力に抗してラック８から離れる方向へ引くだけで、操作部材１５は元の姿勢に戻ろうとして突状体１４が下降しつつ、その低突状部１３が係止段部１８から離脱してロック部材１１の二重ロックが解除され、そしてポケット部１０内にある高突状部１２でロック部材１１をその歯９がラック８から離れる方向に回動してロックを解除するから、二重ロック状態からのロック解除操作も簡単であり、またこのロック解除後に、操作部材１５から手を放せば、操作部材１５はバネ１６の付勢力で前進移動して、ロック部材１１を通常のロック状態（単ロック状態）にすることができる。
【００１２】
請求項２に係る発明によれば、操作部材１５は、ロック部材１１が通常のロック位置にある単ロック時には平行姿勢を有効に維持でき、そして操作部材１５を前傾姿勢にした時は突状体１４のガイド突条部ｐが歯９に近づく方向に上り傾斜状の前部内壁面１０ａに弾接しているため、操作部材１５をラック８から離れる方向へ引っ張らない限り、二重ロックが解除されることがなく、安全となる。またガイド突条部ｐが下り傾斜状ガイド斜面部１１ａの頂部である上り傾斜状の前部内壁面１０ａとの境界部１０ｏを越えてポケット部１０内の上り傾斜状前部内壁面１０ａに移行する時に操作部材１５に適度のクリック感が生じるため、ロック部材１１の二重ロック状態を確認できる。
【００１３】
請求項３に係る発明によれば、ロック部材１１、操作部材１５及びバネ１６は、踏桟３の端部内に取り付け固定されるロックボックス１９内に組み込まれ、係止段部１８はロックボックス１９の下端部に形成されるもので、ロックボックス１９を踏桟３に取り付ければよいから、踏桟３への伸縮脚ロック装置の設置が簡単容易となる。
【００１４】
請求項４に係る発明のように、ロックボックス１９の下端部に設けられる係止段部１８は、前記ラック８から水平方向へ所定長さのところに形成される第１係止段部１８ａと、第１係止段部１８ａの下位側で、前記ラック８から遠ざかる方向へ階段状に形成される第２係止段部１８ｂの少なくとも２つの係止段部１８ａ，１８ｂからなるもので、支柱２の内側面と踏桟３の上側面との対向角度が異なる少なくとも２種類の梯子状脚体において、その角度の小さいものに第１係止段部１８ａを使用し、その角度の大きいものに第２係止段部１８ｂを使用するようにした場合には、請求項３に係る発明の伸縮脚ロック装置は、１種類の構成部品により、少なくとも２種類の梯子状脚体に使用することができ、コストの低廉化を図ることができる。
【図面の簡単な説明】
【００１５】
【図１】梯子兼用の脚立を示す斜視図である。
【図２】図１の脚立に適用される本発明の伸縮脚ロック装置を示す正面図である。
【図３】(a) は図２のＡ−Ａ線断面図、(b) は図２のＢ−Ｂ線断面図である。
【図４】(a) はロック部材を示す正面図、(b) は側面図である。
【図５】(a) はロックボックスの正面図、(ｂ)は左側面図、(ｃ)は底面図である。
【図６】(a) は操作部材の正面図、(b) は左側面図、(c) は右側面図、(d) は平面図、(e) は底面図、(f) は(b) のＣ−Ｃ断面図である。
【図７】(a) 〜(d) は同上の伸縮脚ロック装置の作用を説明する説明図である。
【図８】(a) は図７の(a) の矢印Ｄで示す部分の拡大図、(b) は図７の(c) の矢印Ｅで示す部分の拡大図である。
【図９】(a) は伸縮梯子の一部を示す正面図、(b) はその側面図、(c) は(a) の矢印Ｆで示す部分の拡大図で、この伸縮梯子に適用される本発明の伸縮脚ロック装置を示す正面図である。
【図１０】(a) は同上の伸縮脚ロック装置によってロック部材が二重ロックされた状態を示す説明図、(b) は(b) の矢印Ｇで示す部分の拡大図である。
【図１１】(a) 〜(c) は従来の伸縮脚ロック装置の作用を説明する説明図である。
【発明を実施するための最良の形態】
【００１６】
以下に本発明の好適な一実施形態を図面に基づいて説明すると、図１は梯子兼用の脚立１を示し、図２は脚立１に設けられた伸縮脚ロック装置を示す。この脚立１は、アルミ押出形材からなる末広がり状に配置された左右一対の中空状支柱２，２間に、同じくアルミ押出形材からなる中空状踏桟３を複数段に横架し、各支柱２の下端部に伸縮脚４を摺動可能に嵌挿することにより梯子状脚体５を形成し、２つの梯子状脚体５，５の上端部どうしを回転金具６で枢支連結することによって形成されたもので、各梯子状脚体５の支柱２下端部と最下段の踏桟３Ａの端部と伸縮脚４との間には各伸縮脚４を所定の脚長に固定するための伸縮脚ロック装置７が設けられている。梯子状脚体５の支柱２内側面と踏桟３上側面との対向角度は、図２に示すように例えば８５°である。また、梯子状脚体５の支柱２の下端にはエンドキャップ３５が取着されている。尚、図１では、各梯子状脚体５の一方の伸縮脚４を収縮状態で示し、他方の伸縮脚４を伸張状態で示す。
【００１７】
この伸縮脚ロック装置７は、図２及び図３に示すように、伸縮脚４に設けられたラック８と、下段側踏桟３の端部内に軸着されていて、ラック８に噛合する歯９を有し、この歯９の背部に下向きに開口する逆Ｕ字状ポケット部１０を形成したロック部材１１と、前記踏桟３の端部において踏桟３長さ方向に水平姿勢で一定ストローク進退移動可能に支持され、前進位置で前部側が持ち上がり可能で、ロック部材１１のポケット部１０に下方より突入する高突状部１２及びこれよりも低位置にある低突状部１３からなる突状体１４を前端部に有する操作部材１５と、この操作部材１５の後部側と前記踏桟３端部との間に介装されていて、ロック部材１１の歯９がラック８に係合したロック位置を維持するように操作部材１５を前進方向に付勢するコイルバネ１６と、前部側が持ち上がって前傾姿勢となった操作部材１５の突状体１４の低突状部１３が係止するように前記踏桟３端部の下面側に設けられた係止段部１８とからなり、突状体１４の高突状部１２は常時ロック部材１１のポケット部１０に突入していて、操作部材１５を後退させることにより、高突状部１２を介してロック部材１１をその歯９がラック８から離脱するように回動させてロック解除し、ロック部材１１がロック位置にある時に操作部材１５の前部側を押し上げて前傾姿勢にすることにより、突状体１４の低突状部１３を前記踏桟３端部側の係止段部に係止させて、ロック部材１１をロック位置に二重にロックするようにしたものである。
【００１８】
上記伸縮脚ロック装置７の構造について更に詳しく説明すれば、図２及び図３に示すように、最下段踏桟３Ａの端部は、その端面を支柱２の内側面に近接させた状態で、支柱２の両側面にリベット３８，３８で取り付けられる両側一対のブラケット３７，３７に挟持された状態で後記するリベット軸２０，４０により支柱２に固定される。また最下段踏桟３Ａの端部には下面側にロックボックス取付用開口部３９（図３参照）が切欠開口されていて、この踏桟３Ａの端部内に挿入されたロックボックス１９の下端部分がその開口部３９より下方へ突出し、ロックボックス１９は、前記リベット軸２０，３６，４０により踏桟３Ａ内に固定される。
【００１９】
ロックボックス１９は、図３の(a) ，(b) 及び図５の(a) 〜(c) に示すように、上壁部３０と、この上壁部３０の両側端から夫々下向きに延びる対向間隔の広い両側一対の上部側壁部３１，３１と、この上部側壁部３１，３１の下端から内向き傾斜壁部３２，３２を介し下向きに延びる対向間隔の狭い両側一対の下部側壁部３３，３３とからなるもので、各下部側壁部３３の下端部３３ａは、断面内向きＬ字状に形成されていて、この断面内向きＬ字状下端部３３ａの前端部に係止段部１８が切欠形成されている。この係止段部１８は、ロックボックス１９が最下段踏桟３Ａの端部に取り付けられた状態でラック８から水平方向へ所定長さのところにある第１係止段部１８ａと、この第１係止段部の下位側で、前記ラック８から遠ざかる方向へ階段状に形成された第２係止段部１８ｂとの少なくとも２つの係止段部１８ａ，１８ｂからなり、これらの係止段部１８ａ，１８ｂは、後述するように、支柱２と踏桟３との取付角度が種々異なる場合に使い分けされるようになっている。
【００２０】
そして、両側一対の下部側壁部３３，３３の下端部３３ａ，３３ａの後端部は、図５の(b) 及び(c) に示すように連結部片３４によって一体に連結され、この連結部片３４には前記コイルバネ１６の後端部側を受けるバネ受け４１が突設され、また下部側壁部３３，３３の夫々内面上部には、操作部材１５を踏桟長さ方向にスライド可能で且つ押し上げ可能に支持する断面Ｌ字形のガイドレール４２，４２が形成されている。また、各上部側壁部３１には、前記リベット軸３６，２０，４０を挿通させる挿通孔４３，４４，４５が設けてある。
【００２１】
ロック部材１１は、図４の(a) ，(b) に示すように、前記リベット軸３６に外嵌されたロック部材支持管４６（図３の(a) 参照）が挿通可能な孔４７と、前記ラック８に噛合する複数の歯９と、これらの歯９の背面側相当部に操作部材１５の突状体１４が突入するように形成された下向きに開口するポケット部１０と、このポケット部１０の後部内壁面１０ｂに沿って形成された後部突状片１７とを備えている。
【００２２】
また図４の(a) に示すように、ロック部材１１のポケット部１０は、歯９に近い側の前部内壁面１０ａと、この前部内壁面１０ａとほぼ平行に対向する後部内壁面１０ｂとを有して、前後両内壁面１０ａ，１０ｂは歯９に近づく方向に上り傾斜状に形成されており、そして前部内壁面１０ａの下端部は、ロック部材１１の下端面側でポケット部１０の入口部に形成された、歯９に近づく方向に下り傾斜状のガイド斜面部１１ａと隣接しており、ポケット部１０の前部内壁面１０ａとポケット部１０の外側にある下り傾斜状のガイド斜面部１１ａとの境界部（下り傾斜状のガイド斜面部１１ａの頂部）を図中符号１０ｏで示す。
【００２３】
操作部材１５は、図２、図３、図６及び図７に示すように、ロック部材１１のポケット部１０に下方より突入する突状体１４を一端部（前端部）に有し、他端側には圧縮コイルバネ１６を保持するコイルバネ保持部４８を有する。ロック部材１１のポケット部１０に突入する突状体１４は、図６の(a) 〜(f) に示すように、操作部材１５の一端（前端）側においてその左右両端部に位置する一対の低突状部１３，１３と、両低突状部１３，１３の間に位置して低突状部１３よりも一段高く突出する高突状部１２とからなり、しかしてこの高突状部１２の前面側下端部にガイド突条部ｐが左右水平方向に条設されている。
【００２４】
また図６の(a) 〜(f) に示すように、操作部材１５前端部の突状体１４からコイルバネ保持部４８に至る部分には、高突状部１２の両端側を挟んでコイルバネ保持部４８の両側壁を形成するように連続して延びる両側一対の支持壁４９，４９が設けられ、この両支持壁４９，４９の上端部には、ロックボックス１９の下部側壁部３３，３３の内面上部に形成してあるガイドレール４２，４２にスライド可能で且つ押し上げ可能に支持される支持ガイド５０，５０が形成されている。また操作部材１５の下端部には、手掛け用凸段部５１が設けられ、この凸段部５１の前端面、即ちラック８に対向する側の端面には手掛け部５２が凹面状に形成され、この手掛け用凸段部５１の下面には、滑り止め用の凹凸部５３が操作部材１５のスライド方向と直交する方向に条設されており、また手掛け用凸段部５１の両側面には、操作部材１５の前部側を押し上げ操作することを示す上向き矢印マーク５４が形成されている。
【００２５】
上記伸縮脚ロック装置７の構成部材であるロック部材１１、操作部材１５、圧縮コイルバネ１６及びロックボックス１９の組み付けにあたっては、先ず、ロックボックス１９内の先端側にロック部材１１を配置し、またコイルバネ保持部４８内に圧縮コイルバネ１６を収納した操作部材１５を、図３の(a) ，(b) に示すように操作部材１５側の支持ガイド５０，５０とロックボックス１９側のガイドレール４２，４２とを介してロックボックス１９の下端部にスライド可能に取り付けると共に、操作部材１５の突状体１４の高突状部１２をロック部材１１のポケット部１０内に突入させておく。
【００２６】
尚、コイルバネ１６は、図２、図３、図５及び図６から分かるように、バネ１６全体が操作部材１５のコイルバネ保持部４８内に収納されると共にロックボックス１９の下部側壁部３３，３３間に挿入された状態で、コイルバネ１６の一端部がコイルバネ保持部４８内の端壁４８ａ（図６の(a) ，(d) ，(f) 参照）に当接支持され、そしてコイルバネ１６の他端部がロックボックス１９側のバネ受け４１に嵌まり込んで保持された状態となっている（図３の(b) ，図５の(c) 参照）。
【００２７】
上記のようにして下端部に操作部材１５を取り付けたロックボックス１９を、最下段側踏桟３Ａの端部内に挿入すると共に、踏桟３Ａ端部下面側のロックボックス取付用開口部３９からロックボックス１９の下端部及び操作部材１５を突出させた状態で、ロック部材支持管４６（図３の(a) 参照）を外嵌したリベット軸３６を踏桟３Ａのリベット挿通孔（図示省略）からロックボックス１９の上部側壁部３１のリベット挿通孔４３及びロック部材１１の孔４７に亘るように挿通してかしめることにより、ロック部材１１をロックボックス１９に軸着し、またリベット軸２０，４０を、ブラケット３７及び踏桟３Ａのリベット挿通孔（図示省略）からロックボックス１９の上部側壁部３１のリベット挿通孔４４，４５にわたるように挿通してかしめることによって、上記伸縮脚ロック装置７の組み付けを終了する。
【００２８】
こうして組み付けを終えた状態の伸縮脚ロック装置７が図２，図３，図７及び図８に示されるが、これらの図に示される状態において、ロック部材１１は、リベット軸３６に外嵌されたロック部材支持管４６（図３及び図８参照）を中心に回動自在であって、常時は図７の(a) 及び図８の(a) に示すように圧縮コイルバネ１６で前進方向に付勢される操作部材１５の突状体１４に押されて歯９が伸縮脚４のラック８に噛合したロック位置に保持されている。この時、操作部材１５は、ロック部材１１のポケット部１０に突入している突状体１４の高突状部１２の前面側下端部にあるガイド突条部ｐが、図８の(a) に示すようにロック部材１１の背部側に形成された下り傾斜状のガイド斜面部１１ａに弾接しているため、支持ガイド５０がガイドレール４２（図３参照）に支持された状態で水平姿勢を有効に維持することができる。
【００２９】
ロック部材１１のロック状態を解除する時は、図７の(b) に示すように、操作部材１５の手掛け用凸段部５１に形成された手掛け部５２に手を掛けて、操作部材１５を、圧縮コイルバネ１６の付勢力に抗してラック８から離れる方向（同図の矢印方向）へ引くと、ロック部材１１のポケット部１０に突入している操作部材１５の突状体１４の高突状部１２が、ポケット部１０の後部内壁面１０ｂであるロック部材１１の後部突状片１７に当たって、このロック部材１１を図７の(b) に関し反時計回りに回動し、それにより歯９がラック８から離脱してロック部材１１をロック解除する。このロック解除後、操作部材１５の手掛け部５２から手を放せば、コイルバネ１６の付勢力で操作部材１５が水平姿勢のまま前進移動して、ロック部材１１は図７の(a) に示す通常のロック位置に戻る。
【００３０】
そして、操作部材１５が図７の(a) に示すように水平姿勢でロック位置ある時に、操作部材１５の前部側、即ち図２に示される矢印マーク５４のある箇所の下端部を手で強く押し上げると、突状体１４のガイド突条部ｐは、図７の(c) 及び図８の(b) に示すように、ロック部材１１の下り傾斜状のガイド斜面部１１ａの頂部１０ｏを越え、ロック部材１１のポケット部１０内の上り傾斜状（漸次歯９の方へ近づく上り傾斜状）前部内壁面１０ａに移行して、この上り傾斜状前部内壁面１０ａに弾接すると共に、突状体１４の低突状部１３がロックボックス１９に設けられた係止段部１８の第１係止段部１８ａに係止して、ロック部材１１をロック位置に二重ロックする。
【００３１】
この時の状態を図８の(a) ，(b) を参照して更に説明すれば、先ず、水平姿勢にある操作部材１５の前部側を強く押し上げることにより、操作部材１５は、前傾姿勢となりつつコイルバネ１６に抗し極く僅かに後退しながら突状体１４のガイド突条部ｐが下り傾斜状ガイド斜面部１１ａの頂部１０ｏを越えた後、ガイド突条部ｐがコイルバネ１６の付勢力によりポケット部１０内の上り傾斜状前部内壁面１０ａに移行して、突状体１４の高突状部１２がポケット部１０の内奥部まで突入すると共に、低突状部１３がロックボックス１９の第１係止段部１８ａに係止する。この時、突状体１４の低突状部１３が、ポケット部１０の前部内壁面１０ａと第１係止段部１８ａとにより挟まれた状態となって、ロック部材１１の回転が阻止されるために、伸縮脚４を下方へ引き出そうとしてもロック部材１１のロックが解除できない。即ち、ロック位置にあるロック部材１１を、ロックボックス１９の第１係止段部１８ａに係止した突状体１４の低突状部１３で更にロックすることにより、二重にロックしているから、伸縮脚４を下方へ引っ張って引き出そうとしても引き出せなくなる。また、ガイド突条部ｐが下り傾斜状ガイド斜面部１１ａの頂部１０ｏを越えてポケット部１０内の上り傾斜状前部内壁面１０ａに移行する時に操作部材１５に適度のクリック感が生じるため、ロック部材１１の二重ロック状態を確認することができる。
【００３２】
図７の(c) 及び図８の(b) に示すように操作部材１５を前傾姿勢にして突状体１４の低突状部１３によりロック部材１１を二重ロックした状態から、図７の(d) に示すように、手掛け部５２に手を掛けて操作部材１５をコイルバネ１６の付勢力に抗してラック８から離れる方向（同図の矢印方向）へ引くと、操作部材１５は前傾姿勢から水平姿勢に戻ろうとして突状体１４が下降しつつ、その低突状部１３がロックボックス１９の第１係止段部１８ａから離脱して、ロック部材１１の二重ロックが解除された後、ポケット部１０内にある高突状部１２がポケット部１０の後部内壁面１０ｂに当たってロック部材１１を回動し、図７の(d) に示すように図７の(b) と同じロック解除状態となって、操作部材１５は水平姿勢に戻る。しかして、このロック解除後に、操作部材１５の手掛け部５２から手を放せば、操作部材１５は、コイルバネ１６の付勢力によって水平姿勢のまま前進移動し、ロック部材１１は、図７の(a) 及び図８の(a) に示すような通常のロック位置に戻る。
【００３３】
上記したように、この伸縮脚ロック装置７によれば、操作部材１５が水平姿勢にあってロック部材１１がロック位置にある時に、操作部材１５の前部側を押し上げて前傾姿勢にすることにより、突状体１４の低突状部１３を、ロック部材１１のポケット部１０に突入させると共にロックボックス１９の係止段部１８に係止させて、ロック部材１１をロック位置に二重にロックするから、脚立の運搬時に梯子状脚体が揺れたり、車等に多段状に積載した状態から脚立を引きずり出すような動作によって、伸縮脚４が不測にロック解除されることがなく、伸縮脚４を支柱本体２に対し確実に固定させることができる。
【００３４】
また、この伸縮脚ロック装置７にあっては、ロック部材１１のポケット部１０は、歯９に近い側の前部内壁面１０ａと、これとほぼ平行に対向する後部内壁面１０ｂとを有し、前後両内壁面１０ａ，１０ｂは、歯９に近づく方向に上り傾斜状に形成されており、前部内壁面１０ａの下端部は、ポケット部１０の入口付近に形成された、歯９に近づく方向に下り傾斜状のガイド斜面部１１ａと隣接していて、操作部材１５が水平姿勢の時は、突状体１４の高突状部１２の前面側下端部に突設されたガイド突条部ｐが前記下り傾斜状ガイド斜面部１１ａに弾接した状態にあり、しかして操作部材１５の前部側を押し上げることにより、ガイド突条部ｐが下り傾斜状ガイド斜面部１１ａからポケット部１０内の上り傾斜状前部内壁面１０ａとの境界部１０ｏを越えてその前部内壁面１０ａに移行するようになっているから、操作部材１５は、ロック部材１１が通常のロック位置にある単ロック時には平行姿勢を有効に維持でき、そして操作部材１５を前傾姿勢にした時は突状体１４のガイド突条部ｐが歯９に近づく方向に上り傾斜状の前部内壁面１０ａに弾接しているため、操作部材１５を後方へ、即ちラック８から離れる方向へ引っ張らない限り、二重ロックが解除されることがなく、安全となる。また、ガイド突条部ｐが下り傾斜状ガイド斜面部１１ａの頂部１０ｏを越えてポケット部１０内の上り傾斜状前部内壁面１０ａに移行する時に操作部材１５に適度のクリック感が生じるため、ロック部材１１が二重ロック状態になったことを確認できる。
【００３５】
また、この伸縮脚ロック装置７では、操作部材１５の手掛け用凸段部５１にはラック８に対向する側の端面に手掛け部５２が形成されているから、この手掛け部５２に手を掛けて引っ張れば、操作部材１５のロック解除操作を簡単容易に行うことができる。
【００３６】
また、この伸縮脚ロック装置７によれば、ロック部材１１、操作部材１５及びバネ１６は、踏桟３Ａの端部内に取り付け固定されるロックボックス１９内に組み込まれ、係止段部１８はロックボックス１９の下端部に形成されるから、踏桟３Ａに対する伸縮脚ロック装置の設置が容易であると共に、支柱２と前記踏桟３Ａの取付けが容易となる。尚、上述した実施形態では、伸縮脚ロック装置を最下段踏桟３Ａに設置しているが、最下段の踏桟３Ａに限るものではなく、最下段から２番目の踏桟３に設置してもよい。
【００３７】
図９は本発明の伸縮脚ロック装置を伸縮梯子に適用した実施形態を示すもので、(a) は伸縮梯子の一部を示す正面図、(b) はその側面図、(c) は(a) の矢印Ｆで示す部分の拡大図で、本発明に係る伸縮脚ロック装置７を示す外観正面図である。この伸縮梯子は、互いに平行な左右一対の中空状支柱２，２間に中空状踏桟３を複数段に横架し、各支柱２の下端部に伸縮脚４を摺動可能に嵌挿してなる下段側梯子状脚体５Ａと、同じく互いに平行な左右一対の中空状支柱２，２間に中空状踏桟３を複数段に横架してなる上段側梯子状脚体５Ｂとを、操作ロープ及び滑車（図示省略）を介し上下摺動自在に連結してなるもので、下段側梯子状脚体５Ａの支柱２下端部とその最下段踏桟３Ａの端部と伸縮脚４との間に、各伸縮脚４を所定の脚長に固定するための伸縮脚ロック装置７が設けられている。下段側梯子状脚体５Ａの支柱２内側面と踏桟３Ａ上側面との対向角度は、図９の(c) 示すように９０°である。
【００３８】
この図９に例示する伸縮梯子の伸縮脚ロック装置７は、前述した梯子兼用脚立の伸縮脚ロック装置と全く同じであって、その構造及び作用についての説明は省略するが、この伸縮梯子の場合は、図１０の(a) ，(b) に示すように、操作部材１５の前部側を押し上げてロック部材１１を二重ロックする時に、突状体１４の低突状部１３が係止段部１８の第２係止段部１８ｂに係止するようになっている。
【００３９】
即ち、伸縮脚４付き脚立と伸縮脚４付き梯子とでは支柱２と踏桟３との角度が異なり、図２に示す伸縮脚４付き脚立の場合、支柱２内側面と踏桟３上側面との対向角度は例えば８５°であり、これに対し図９に示す伸縮脚４付き梯子の場合には、左右一対の支柱２，２が平行であることから、支柱２内側面と踏桟３Ａ上側面との対向角度は９０°である。従って、一般的であれば、本発明に係る装置のように、ロック部材１１、操作部材１５及びバネ１６をロックボックス１９内部に組み込むと共に、係止段部１８をロックボックス１９の下端部に形成することにより構成される伸縮脚ロック装置７の場合、夫々に適したロック位置を設定する必要があるため、係止段部１８の設定位置が異なった２種類の伸縮脚ロック装置が必要となる。
【００４０】
そこで、本発明に係る伸縮脚ロック装置７においては、ロックボックス１９の下端部に設けられる係止段部１８を、図２，図５及び図８に示すように、ラック８から水平方向へ所定長さのところに形成される第１係止段部１８ａと、この第１係止段部１８ａの下位側で、ラック８から遠ざかる方向へ階段状に形成される第２係止段部１８ｂとから構成し、これら第１及び第２の係止段部１８ａ，１８ｂを、支柱２と踏桟３との角度が異なる場合に、伸縮脚４付き脚立と伸縮脚４付き梯子とに使い分けするもので、第１係止段部１８ａを伸縮脚４付き脚立に使用し、第２係止段部１８ｂを図９に示すような伸縮脚４付き梯子に使用するようにしている。
【００４１】
支柱２内側面と踏桟３上側面との対向角度が８５°である伸縮脚４付き脚立の場合と、その対向角度が９０°である伸縮脚４付き梯子の場合とを比較すると、梯子の場合には図９に示すように支柱２が水平面に対し垂直であり、脚立の場合は支柱２が内側へ傾斜し、従ってラック８も内側へ傾斜していることから、ラック８と噛合するロック部材１１のポケット部１０の前後内壁面１０ａ，１０ｂの傾斜は、図８の(b) と図１０の(b) とを比較して分かるように、梯子の場合（図１０の(b) ）は脚立２の場合（図８の(b) ）よりも大きくなる。そうすると、ロック部材１１を二重ロックする際に突状体１４の高突状部１２がポケット部１０内に突入した時の突入高さは、梯子の場合（図１０の(b) ）の方が、脚立２の場合（図８の(b) ）よりも低くなり、従って梯子の場合に突状体１４の低突状部１３が係止する係止段部１８は、脚立２の場合に使用される第１係止段部１８ａでは係止できないことになるため、この第１係止段部１８ａの下位で、ラック８から遠ざかる方向へ階段状となる位置に第２係止段部１８ｂを形成し、梯子の場合にはこの第２係止段部１８ｂに突状体１４の低突状部１３を係止させて、ロック部材１１を二重ロックするようにしたのである。
【００４２】
このように係止段部１８を、脚立２の場合に使用する第１係止段部１８ａと、梯子の場合に使用する第２係止段部１８ｂとから構成することにより、必要部品を１種類で済ませることができて、コストの低廉化を図ることができる。尚、この実施形態では、係止段部１８を第１と第２の２つの係止段部１８ａ，１８ｂからなるものとしているが、３つ以上の係止段部を、先の係止段部の下位で、ラック８から遠ざかる方向へ階段状に形成することができる。
【符号の説明】
【００４３】
１            脚立
２            支柱
３            踏桟
３Ａ          最下段踏桟
４            伸縮脚
５            梯子状脚体
７            伸縮脚ロック装置
８            ラック
９            歯
１０          ポケット部
１０ａ        前部内壁面
１０ｂ        後部内壁面
１１          ロック部材
１２          突状体の高突状部
１３          突状体の低突状部
１４          突状体
ｐ            突状体のガイド突条部
１５          操作部材
１６          コイルバネ
１８          係止段部
１８ａ        第１係止段部
１８ｂ        第２係止段部
１９          ロックボックス
【図１】
0005409524.tif 000002
【図２】
0005409524.tif 000003
【図３】
0005409524.tif 000004
【図４】
0005409524.tif 000005
【図５】
0005409524.tif 000006
【図６】
0005409524.tif 000007
【図７】
0005409524.tif 000008
【図８】
0005409524.tif 000009
【図９】
0005409524.tif 000010
【図１０】
0005409524.tif 000011
【図１１】
0005409524.tif 000012